【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
部品フィーダーが着脱可能にセットされる実装機における前記部品フィーダーの管理システムであって、
前記部品フィーダーが、同部品フィーダーに備えられた電子部品の種別に応じた前記実装機におけるセット位置にセットされたときには、その電子部品についてセットが終了したことを記憶し、そのセットの終了が記憶された電子部品を備えた前記部品フィーダーが前記セット位置から取り外されたときには、同電子部品が取り外されたことを記憶する部品段取り記憶装置と、
前記部品段取り記憶装置の記憶に基づき、前記電子部品が取り外されていることを作業者に伝える段取り情報伝達手段と、を備え、
前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する実装機の部品フィーダー管理システム。
【請求項２】
前記部品段取り記憶装置は、前記別の部品フィーダーがセットされていた前記他のセット位置に、この別の部品フィーダーとは異なる他の部品フィーダーであって、前記別の部品フィーダーに備えられた電子部品と同種の電子部品が備えられた部品フィーダーがセットされたときには、前記別の部品フィーダーがセットされたセット位置における前記電子部品についての借り入れの記憶を消去することを特徴とする請求項１に記載の実装機の部品フィーダー管理システム。
【請求項３】
前記段取り情報伝達手段は、前記電子部品のセットが終了している場合と、前記電子部品が取り外されている場合とで、異なる表示をする表示手段であることを特徴とする請求項１または請求項２に記載の実装機の部品フィーダー管理システム。
【請求項４】
請求項１ないし請求項３のいずれか一項に記載の実装機の部品フィーダー管理システムにおいて、更に、前記セット位置から取り外された部品フィーダーについて同セット位置を記憶する返却先記憶手段と、この返却先記憶手段に記憶された前記セット位置を作業者に伝える返却先伝達手段と、を有する実装機の部品フィーダー管理システム。
【請求項５】
前記返却先伝達手段は、前記セット位置を表示する表示手段であることを特徴とする請求項４に記載の実装機の部品フィーダー管理システム。
【請求項６】
請求項１ないし請求項５のいずれか１項に記載の実装機の部品フィーダー管理システムにおいて、更に、前記セット位置から取り外された部品フィーダーが、同セット位置とは異なるセット位置にセットされたときには、その異なるセット位置を記憶する貸出先記憶手段を有する実装機の部品フィーダー管理システム。
【請求項７】
請求項１ないし請求項６のいずれか１項に記載の実装機の部品フィーダー管理システムにおいて、更に、前記部品フィーダーが前記実装機における空きスペースにセットされたときには、この部品フィーダーが空きスペースにセットされたことを知らせる無関係表示手段を有する実装機の部品フィーダー管理システム。
【請求項８】
部品フィーダーが着脱可能にセットされる実装機であって、
前記部品フィーダーが、同部品フィーダーに備えられた電子部品の種別に応じたセット位置にセットされたときには、その電子部品についてセットが終了したことを記憶し、そのセットの終了が記憶された電子部品を備えた前記部品フィーダーが前記セット位置から取り外されたときには、同電子部品が取り外されたことを記憶する部品段取り記憶装置と、
前記部品段取り記憶装置の記憶に基づき、前記電子部品が取り外されていることを作業者に伝える段取り情報伝達手段と、を備え、
前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する実装機。
【請求項９】
部品フィーダーが着脱可能にセットされて実装機に装着される部品供給台であって、
前記部品フィーダーが、同部品フィーダーに備えられた電子部品の種別に応じたセット位置にセットされたときには、その電子部品についてセットが終了したことを記憶し、そのセットの終了が記憶された電子部品を備えた前記部品フィーダーが前記セット位置から取り外されたときには、同電子部品が取り外されたことを記憶する部品段取り記憶装置と、
前記部品段取り記憶装置の記憶に基づき、前記電子部品が取り外されていることを作業者に伝える段取り情報伝達手段と、を備え、
前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する部品供給台。
【請求項１０】
電子部品が備えられて実装機に着脱可能にセットされる部品フィーダーであって、
前記電子部品の種別に応じた前記実装機におけるセット位置にセットされたときには、その電子部品についてセットが終了したことを記憶し、そのセットの終了が記憶された後に前記セット位置から取り外されたときには、前記電子部品が取り外されたことを記憶する部品段取り記憶装置と、
前記部品段取り記憶装置の記憶に基づき、前記電子部品が取り外されていることを作業者に伝える段取り情報伝達手段と、を備え、
前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する部品フィーダー。
【手続補正２】
【補正対象書類名】明細書
【補正対象項目名】０００５
【補正方法】変更
【補正の内容】
【０００５】
本発明は、部品フィーダーが着脱可能にセットされる実装機における前記部品フィーダーの管理システムであって、前記部品フィーダーが、同部品フィーダーに備えられた電子部品の種別に応じた前記実装機におけるセット位置にセットされたときには、その電子部品についてセットが終了したことを記憶し、そのセットの終了が記憶された電子部品を備えた前記部品フィーダーが前記セット位置から取り外されたときには、同電子部品が取り外されたことを記憶する部品段取り記憶装置と、前記部品段取り記憶装置の記憶に基づき、前記電子部品が取り外されていることを作業者に伝える段取り情報伝達手段と、を備え、前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する。
【手続補正３】
【補正対象書類名】明細書
【補正対象項目名】００１１
【補正方法】削除
【補正の内容】
【手続補正４】
【補正対象書類名】明細書
【補正対象項目名】００１５
【補正方法】変更
【補正の内容】
【００１５】
本発明の実装機は、部品フィーダーが着脱可能にセットされる実装機であって、前記部品フィーダーが、同部品フィーダーに備えられた電子部品の種別に応じたセット位置にセットされたときには、その電子部品についてセットが終了したことを記憶し、そのセットの終了が記憶された電子部品を備えた前記部品フィーダーが前記セット位置から取り外されたときには、同電子部品が取り外されたことを記憶する部品段取り記憶装置と、前記部品段取り記憶装置の記憶に基づき、前記電子部品が取り外されていることを作業者に伝える段取り情報伝達手段と、を備え、前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する。
【手続補正５】
【補正対象書類名】明細書
【補正対象項目名】００１６
【補正方法】変更
【補正の内容】
【００１６】
本発明の部品供給台は、部品フィーダーが着脱可能にセットされて実装機に装着される部品供給台であって、前記部品フィーダーが、同部品フィーダーに備えられた電子部品の種別に応じたセット位置にセットされたときには、その電子部品についてセットが終了したことを記憶し、そのセットの終了が記憶された電子部品を備えた前記部品フィーダーが前記セット位置から取り外されたときには、同電子部品が取り外されたことを記憶する部品段取り記憶装置と、前記部品段取り記憶装置の記憶に基づき、前記電子部品が取り外されていることを作業者に伝える段取り情報伝達手段と、を備え、前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する。
【手続補正６】
【補正対象書類名】明細書
【補正対象項目名】００１７
【補正方法】変更
【補正の内容】
【００１７】
本発明の部品フィーダーは、電子部品が備えられて実装機に着脱可能にセットされる部品フィーダーであって、前記電子部品の種別に応じた前記実装機におけるセット位置にセットされたときには、その電子部品についてセットが終了したことを記憶し、そのセットの終了が記憶された後に前記セット位置から取り外されたときには、前記電子部品が取り外されたことを記憶する部品段取り記憶装置と、前記部品段取り記憶装置の記憶に基づき、前記電子部品が取り外されていることを作業者に伝える段取り情報伝達手段と、を備え、前記部品段取り記憶装置は、前記セット位置から取り外された部品フィーダーとは別の部品フィーダーであって、前記セット位置から取り外された部品フィーダーに備えられた電子部品と同種の電子部品が備えられるとともに前記セット位置とは異なる他のセット位置にセットされていた部品フィーダーが、同他のセット位置から取り外されて前記セット位置にセットされたときには、前記セット位置における前記電子部品のセット作業の終了が借り入れによるものであることを記憶する。